(57)【要約】【課題】  パススルー対応の地上波デジタル放送受信機において、信号レベルが調整されていないアナログ放送信号が地上波デジタル放送信号と混在する場合にも、地上波デジタル放送信号を良好に受信できるようにすることである。【解決手段】  ＵＨＦ帯及びＶＨＦ帯の地上波デジタル放送信号を受信可能なパススルー対応の地上波デジタル放送受信機であって、ＵＨＦ帯及びＶＨＦ帯の地上波デジタル放送信号を受信するチューナ部１０１と、チューナ部１０１の入力側に接続されＶＨＦ帯の受信信号を除去するＶＨＦフィルタ１０４と、ＵＨＦ帯及びＶＨＦ帯の放送波を受信して受信信号を出力するアンテナ２００からの受信信号をチューナ部１０１又はＶＨＦフィルタ１０４に切り換える切換部１０５と、切換部を制御する制御部１０３とを備えることを特徴とする地上波デジタル放送受信機。【選択図】      図１
2005303716.tif 000002
【特許請求の範囲】
【請求項１】
ＵＨＦ帯及びＶＨＦ帯の地上波デジタル放送信号を受信可能なパススルー対応の地上波デジタル放送受信機であって、
ＵＨＦ帯及びＶＨＦ帯の地上波デジタル放送信号を受信するチューナ部と、ＵＨＦ帯及びＶＨＦ帯の放送波を受信して受信信号を出力するアンテナと前記チューナ部とに接続され、ＶＨＦ帯の受信信号を除去するＶＨＦフィルタと、前記ＶＨＦフィルタに並列に前記アンテナと前記チューナ部とに接続されたスイッチと、前記アンテナからの受信信号からＶＨＦ帯のアナログ信号を検出するアナログ検出部と、前記スイッチを制御する制御部とを備え、
前記制御部は、
前記アナログ検出部によって検出された前記ＶＨＦ帯のアナログ信号の強度が第１所定値以上であるか否かを判別し、前記ＶＨＦ帯に地上波デジタル信号が存在するか否かを判別し、前記ＵＨＦ帯の地上波デジタル信号のＣ／Ｎ比が第２所定値値以下であるか否かを判別し、
前記ＶＨＦ帯のアナログ信号の強度が第１所定値以上である第１条件、前記ＶＨＦ帯の地上波デジタル信号が存在しない第２条件、及び、前記ＵＨＦ帯の地上波デジタル信号のＣ／Ｎ比が第２所定値値以下である第３条件を満たす場合に、前記アンテナからの受信信号が前記ＶＨＦフィルタに入力されるように、前記スイッチを遮断させ、
前記第１乃至第３条件の何れかが満たされない場合に、前記アンテナからの受信信号が前記チューナ部に入力されるように、前記スイッチを導通させる、ことを特徴とする地上波デジタル放送受信機。
【請求項２】
ＵＨＦ帯及びＶＨＦ帯の地上波デジタル放送信号を受信可能なパススルー対応の地上波デジタル放送受信機であって、
ＵＨＦ帯及びＶＨＦ帯の地上波デジタル放送信号を受信するチューナ部と、
前記チューナ部の入力側に接続され、ＶＨＦ帯の受信信号を除去するＶＨＦフィルタと、
ＵＨＦ帯及びＶＨＦ帯の放送波を受信して受信信号を出力するアンテナからの受信信号を前記チューナ部又は前記ＶＨＦフィルタに切り換える切換部と、
前記切換部を制御する制御部と、
を備えることを特徴とする地上波デジタル放送受信機。
【請求項３】
前記制御部は、
ＶＨＦ帯のアナログ信号の強度が第１所定値以上であるか否かを判別し、ＶＨＦ帯に地上波デジタル信号が存在するか否かを判別し、ＵＨＦ帯の地上波デジタル信号のＣ／Ｎ比が第２所定値値以下であるか否かを判別し、
ＶＨＦ帯のアナログ信号の強度が第１所定値以上である第１条件、ＶＨＦ帯の地上波デジタル信号が存在しない第２条件、及び、ＵＨＦ帯の地上波デジタル信号のＣ／Ｎ比が第２所定値値以下である第３条件を満たす場合に、前記アンテナからの受信信号が前記ＶＨＦフィルタに入力されるように、前記切換部を制御し、
前記第１乃至第３条件の何れかが満たされない場合に、前記アンテナからの受信信号が前記チューナ部に入力されるように、前記切換部を制御する、ことを特徴とする請求項２に記載の地上波デジタル放送受信機。
【請求項４】
前記切換部は、前記ＶＨＦフィルタに並列に前記アンテナと前記チューナ部とに接続されたスイッチであり、
前記制御部は、前記第１乃至第３条件を満たす場合に、前記アンテナからの受信信号が前記ＶＨＦフィルタに入力されるように、前記スイッチを遮断させ、前記第１乃至第３条件の何れかを満たさない場合に、前記アンテナからの受信信号が前記チューナ部に入力さ
れるように前記スイッチを導通させることを特徴とする、請求項３に記載の地上波デジタル放送受信機。
【発明の詳細な説明】
【技術分野】
【０００１】
本発明は、地上波デジタル放送受信機、特に、パススルーに対応した地上波デジタル放送受信機に関する。
【背景技術】
【０００２】
特許文献１には、チューナ部と、中間周波回路部と、チューナ部と中間周波回路部との間に介装され、チューナ部の出力信号から隣接チャンネルのアナログテレビジョン信号を減衰させる隣接帯域減衰手段とを備えるデジタルテレビジョン信号受信チューナが記載されている。このチューナによれば、デジタルテレビジョン信号とアナログテレビジョン信号とが隣接する周波数において混在する場合にも、アナログテレビジョン信号がデジタルテレビジョン信号を妨害することを抑制している。
【０００３】
特許文献２には、第１の中間周波数変換回路と、第２の中間周波数変換回路と、第１の中間周波数変換回路と第２の中間周波数変換回路との間に介装された帯域フィルタ及びＳＡＷフィルタとを備えるチューナ部を持つデジタル地上波用受信機が記載されている。この受信機は、帯域フィルタ及びＳＡＷフィルタによって、第１の中間周波数変換回路から出力される中間周波信号から不要な周波数成分を除去し、高い選択度で地上波デジタル信号を得られるように構成されている。
【特許文献１】特開平１１−９８０３７号公報（第３−６頁、第１図）
【特許文献２】特開平１１−２２５０８５号公報（第４−６頁、第２図）
【発明の開示】
【発明が解決しようとする課題】
【０００４】
特許文献１及び２に記載された構成は、同一帯域（例えば、ＵＨＦ帯）にデジタル放送信号とアナログ放送信号とが隣接して混在する問題を解決しようとするものである。
【０００５】
一方、ＣＡＴＶ事業者よる地上波デジタル放送の送信又はマンション等の共聴設備において、ＵＨＦ帯に割り当てられた地上波デジタル放送をＶＨＦ帯にパススルーさせて放送するパススルー方式の放送を受信するために、ＵＨＦ帯及びＶＨＦ帯の両方の放送信号を受信可能なパススルー対応の地上波デジタル放送受信機においては、別の問題が存在する。即ち、パススルー対応の地上波デジタル放送受信機でパススルー方式の配信を受信する場合には、ＶＨＦ帯にあるアナログ放送波の信号レベルとパススルーされた地上波デジタル放送信号の信号レベルとは適切にレベル調整されているため、ＶＨＦ帯にあるアナログ放送信号がＵＨＦ帯の地上波デジタル放送信号に影響を与えることはないが、パススルーしていない地上波デジタル放送信号をアンテナで受信し、アンテナからの入力を、パススルー対応の受信機に入力する場合には、レベル調整されていないＶＨＦ帯のアナログ信号も受信してしまい、ＵＨＦ帯の地上波デジタル信号がＶＨＦ帯のアナログ信号によって妨害される虞がある。
【０００６】
しかしながら、特許文献１及び２の構成は、例えば、同一帯域（例えば、ＵＨＦ帯）に信号レベルを調整して割り当てられたデジタル放送信号及びアナログ信号が混在する場合に隣接するアナログ信号を減衰又は除去することを目的としており、常時、チューナ部に入力された放送信号をアナログカット用のフィルタを通過させて処理するため、受信する放送信号の強度が常に低下し、受信する放送信号の強度が弱い地域等で放送信号を受信する場合に画像が劣化しやすい問題がある。また、隣接するアナログ信号を減衰又は除去するために急峻な減衰特性を持つＳＡＷフィルタ等の効果な構成を要する。
【０００７】
また、ＵＨＦ帯の地上波デジタル信号がＶＨＦ帯のアナログ信号によって妨害される問
題を解決する手段としては、アンテナと受信機との間に分配器、アッテネータを設置してＶＨＦ帯のアナログ信号を減衰又は遮断することも考えられるが、分配器やアッテネータを設置する作業が必要であり、ユーザにとって手間である。
【０００８】
本発明の目的は、パススルー対応の地上波デジタル放送受信機において、パススルー放送受信のために信号レベルが調整されていないアナログ信号が地上波デジタル放送信号と混在する場合にも、地上波デジタル放送信号を良好に受信できるようにすることである。
【課題を解決するための手段】
【０００９】
第１発明に係る地上波デジタル放送受信機は、ＵＨＦ帯及びＶＨＦ帯の地上波デジタル放送信号を受信可能なパススルー対応の地上波デジタル放送受信機であって、ＵＨＦ帯及びＶＨＦ帯の地上波デジタル放送信号を受信するチューナ部と、ＵＨＦ帯及びＶＨＦ帯の放送波を受信して受信信号を出力するアンテナと前記チューナ部とに接続され、ＶＨＦ帯の受信信号を除去するＶＨＦフィルタと、前記ＶＨＦフィルタに並列に前記アンテナと前記チューナ部とに接続されたスイッチと、前記アンテナからの受信信号からＶＨＦ帯のアナログ信号を検出するアナログ検出部と、前記スイッチを制御する制御部とを備えている。
【００１０】
前記制御部は、前記アナログ検出部によって検出された前記ＶＨＦ帯のアナログ信号の強度が第１所定値以上であるか否かを判別し、前記ＶＨＦ帯に地上波デジタル信号が存在するか否かを判別し、前記ＵＨＦ帯の地上波デジタル信号のＣ／Ｎ比が第２所定値値以下であるか否かを判別する。そして、前記制御部は、前記ＶＨＦ帯のアナログ信号の強度が第１所定値以上である第１条件、前記ＶＨＦ帯の地上波デジタル信号が存在しない第２条件、及び、前記ＵＨＦ帯の地上波デジタル信号のＣ／Ｎ比が第２所定値値以下である第３条件を満たす場合に、前記アンテナからの受信信号が前記ＶＨＦフィルタに入力されるように、前記スイッチを遮断させ、前記第１乃至第３条件の何れかが満たされない場合に、前記アンテナからの受信信号が前記チューナ部に入力されるように、前記スイッチを導通させることを特徴とする。
【００１１】
第２発明に係る地上波デジタル放送受信機は、ＵＨＦ帯及びＶＨＦ帯の地上波デジタル放送信号を受信可能なパススルー対応の地上波デジタル放送受信機であって、ＵＨＦ帯及びＶＨＦ帯の地上波デジタル放送信号を受信するチューナ部と、前記チューナ部の入力側に接続され、ＶＨＦ帯の受信信号を除去するＶＨＦフィルタと、ＵＨＦ帯及びＶＨＦ帯の放送波を受信して受信信号を出力するアンテナからの受信信号を前記チューナ部又は前記ＶＨＦフィルタに切り換える切換部と、前記切換部を制御する制御部と、を備えることを特徴とする。
【００１２】
第３発明に係る地上波デジタル放送受信機は、第２発明に係る地上波デジタル放送受信機において、前記制御部は、ＶＨＦ帯のアナログ信号の強度が第１所定値以上であるか否かを判別し、ＶＨＦ帯に地上波デジタル信号が存在するか否かを判別し、ＵＨＦ帯の地上波デジタル信号のＣ／Ｎ比が第２所定値値以下であるか否かを判別する。そして、前記制御部は、ＶＨＦ帯のアナログ信号の強度が第１所定値以上である第１条件、ＶＨＦ帯の地上波デジタル信号が存在しない第２条件、及び、ＵＨＦ帯の地上波デジタル信号のＣ／Ｎ比が第２所定値値以下である第３条件を満たす場合に、前記アンテナからの受信信号が前記ＶＨＦフィルタに入力されるように、前記切換部を制御し、前記第１乃至第３条件の何れかが満たされない場合に、前記アンテナからの受信信号が前記チューナ部に入力されるように、前記切換部を制御することを特徴とする。
【００１３】
第４発明に係る地上波デジタル放送受信機は、第３発明に係る地上波デジタル放送受信機において、前記切換部は、前記ＶＨＦフィルタに並列に前記アンテナと前記チューナ部とに接続されたスイッチである。また、前記制御部は、前記第１乃至第３条件を満たす場
合に、前記アンテナからの受信信号が前記ＶＨＦフィルタに入力されるように、前記スイッチを遮断させ、前記第１乃至第３条件の何れかを満たさない場合に、前記アンテナからの受信信号が前記チューナ部に入力されるように前記スイッチを導通させることを特徴とする。
【発明の効果】
【００１４】
本発明によれば、パススルー対応の地上波デジタル放送受信機において、パススルー放送受信のために信号レベルが調整されていないアナログ放送信号が地上波デジタル放送信号と混在する場合にも、アナログ放送信号が存在する周波数帯域を遮断して地上波デジタル信号を良好に受信できる。
【発明を実施するための最良の形態】
【００１５】
（１）第１実施形態
図１は、第１実施形態に係る地上波デジタル放送受信機１００の概略構成図である。
【００１６】
この受信機１００は、パススルー対応の受信機１００であり、ＶＨＦ帯及びＵＨＦ帯の地上波デジタル放送信号を受信可能であり、アンテナ２００から受信した地上波デジタル放送信号を処理して表示部３００に映像及び音声を出力する。
【００１７】
この受信機１００は、地上波デジタルＲＦ処理部１０１と、映像音声復号処理部１０２と、マイコン１０３と、ＶＨＦフィルタ１０４と、スルースイッチ１０５と、ＶＨＦ帯アナログＲＦ検出部１０６とを備えている。
【００１８】
地上波デジタルＲＦ処理部１０１は、ＶＨＦ帯及びＵＨＦ帯の地上波デジタル放送信号を受信可能であり、アンテナ２００から出力される地上波デジタル放送信号のうち、マイコン１０３によって設定された所定の周波数の地上波デジタル放送信号を受信し、所定の周波数に変換して出力する。映像音声復号処理部１０２は、地上波デジタルＲＦ処理部１０１から出力される地上波デジタル放送信号に所定の処理を施し、映像信号及び音声信号を表示部３００に出力する。ＶＨＦフィルタ１０４は、アンテナ２００から出力される信号からＶＨＦ帯の信号を除去して、ＶＨＦ帯の信号が除去された信号を出力する。スルースイッチ１０５は、接点を開閉して、アンテナ２００からの信号が地上波デジタルＲＦ処理部１０１に入力される経路を切り換える。具体的には、スルースイッチ１０５は、アンテナ２００からの信号を直接、地上波デジタルＲＦ処理部１０１に入力させる経路（接点を閉じた場合）と、アンテナ２００からの信号をＶＨＦ帯フィルタ１０４を介して地上波デジタルＲＦ処理部１０１に入力させる経路（接点を開けた場合）とを切り換える。ＶＨＦ帯アナログＲＦ検出部１０６は、アンテナ２００からの信号にＶＨＦ帯のアナログ放送信号が含まれるか否かを検出する。マイコン１０３は、地上波デジタルＲＦ処理部１０１及び映像音声復号処理部１０２を制御するとともに、ＶＨＦ帯アナログＲＦ検出部１０６からの検出信号等に基づいて、スルースイッチ１０５のＯＮ／ＯＦＦ信号を出力して、スルースイッチ１０５を制御する。
【００１９】
図２は、パススルー放送時（ａ）と、通常放送時（ｂ）とにおける地上波デジタル放送信号及びアナログ放送信号の信号強度を模式的に図示したものである。
【００２０】
パススルー放送は、ＣＡＴＶ事業者による地上波デジタル放送の配信やマンション等の共聴設備において、ＵＨＦ帯で放送されている地上波デジタル放送信号２１をＶＨＦ帯に移動させて（パススルーさせて）放送する放送方式である。パススルー放送では、ＵＨＦ帯の地上波デジタル放送信号２１は、ＶＨＦ帯の地上波デジタル放送信号２２にパススルーされるが、この際、地上波デジタル放送信号２２及びアナログ放送信号２３が互いに妨害しないように、地上波デジタル放送信号２２及びアナログ放送信号２３の信号レベルが調整されている。
【００２１】
一方、パススルー放送でない通常放送時には、地上波デジタル放送信号はＵＨＦ帯で放
送されている。パススルー対応でない一般の地上波デジタル放送受信機は、地上波デジタルＲＦ処理部が、ＵＨＦ帯で放送される地上波デジタル放送信号のみを受信するように構成し、ＶＨＦ帯で放送されるアナログ放送信号がＵＨＦ帯の地上波デジタル放送信号を妨害することを防止している。ところが、パススルー対応の地上波デジタル放送受信にでは、地上波デジタルＲＦ処理部が、ＶＨＦ帯及びＵＨＦ帯の放送信号を受信するように構成されているため、図２（ｂ）のような通常放送に使用されると、信号レベルが調整されていない強度の高いＶＨＦ帯のアナログ放送信号がＵＨＦ帯の地上波デジタル放送信号に妨害を与える虞がある。
【００２２】
そこで、本実施形態では、ＶＨＦ帯にアナログ放送信号が存在すること（第１の条件）、ＶＨＦ帯に地上波デジタル放送信号が存在しないこと（第２の条件）、受信するＵＨＦ帯の地上波デジタル放送信号がＶＨＦ帯のアナログ放送信号に妨害されていること（第３の条件）の第１乃至第３の条件を満たす場合に、アンテナ２００からの信号をＶＨＦ帯フィルタ１０４に通して、ＶＨＦ帯の信号を除去し、ＶＨＦ帯の信号が除去された信号を地上波デジタルＲＦ処理部１０１に入力することにより、ＵＨＦ帯の地上波デジタル放送信号がＶＨＦ帯のアナログ信号に妨害されないようにする。従来は、受信機１００とアンテナ２００との間に分配器やアッテネータを配置してＶＨＦ帯の信号を除去又は減衰させていたが、本実施形態に係るスルースイッチ１０５及びＶＨＦ帯フィルタ１０４を用いれば、受信機１００の外部に分配器やアッテネータ等を配置することなく、受信機１００をアンテナ２００に接続すれば、ＶＨＦ帯のアナログ放送信号の妨害を受けることなく、地上波デジタル放送信号を受信することができる。
【００２３】
図３は、地上波デジタル放送受信機１００における地上波デジタル放送の受信処理のフローチャートである。
【００２４】
地上波デジタル放送信号の受信処理（Ｓ１５）を開始するに先立って、Ｓ１１では、ＶＨＦ帯のアナログ放送信号の強度が第１所定値以上であるか否かを判定する（第１条件の判定）。ＶＨＦ帯のアナログ放送信号の強度が第１所定値以上であれば、ＶＨＦ帯にアナログ放送信号が存在するとして、Ｓ１２に移行する。Ｓ１２では、マイコン１０３が地上波デジタルＲＦ処理部１０１で受信した信号を参照して、ＶＨＦ帯に地上波デジタル放送信号が存在しないか否かを判定する（第２条件の判定）。ＶＨＦ帯に地上波デジタル放送信号が存在しない場合には、Ｓ１３に移行する。Ｓ１３では、マイコン１０３が地上波デジタルＲＦ処理部１０１を参照して、受信するＵＨＦ帯の地上波デジタル放送信号のＣ／Ｎ比が第２所定値以下か否かを判定する（第３条件の判定）。Ｃ／Ｎ比が第２所定値以下であれば、Ｓ１４に移行する。
【００２５】
即ち、Ｓ１１乃至Ｓ１３において第１乃至第３の条件が満たされている場合には、Ｓ１４においてスルースイッチ１０５をＯＦＦし（Ｓ１４）、アンテナ２００からの地上波デジタル放送信号をＶＨＦ帯フィルタ１０４に通過させ、ＶＨＦ帯のアナログ放送信号を除去した地上波デジタル放送信号を地上波デジタルＲＦ処理部１０１に入力して、地上波デジタル放送信号を受信する（Ｓ１５）。一方、第１乃至第３の条件の何れかが満たされない場合、即ち、Ｓ１１乃至Ｓ１３の何れかでＮの場合には、スルースイッチ１０５をＯＮし（Ｓ１６）、アンテナ２００からの地上波デジタル放送信号をＶＨＦ帯フィルタ１０４を介さずにスルースイッチ１０５を介して直接、地上波デジタルＲＦ処理部１０１に入力して、地上波デジタル放送信号を受信する（Ｓ１５）。
（２）第２実施形態
図４は、第２実施形態に係る地上波デジタル放送受信機１００の概略構成図である。第１実施形態と同様の構成には同様の符号を付し、説明を省略する。本実施形態では、スルースイッチ１０５の代わりに、切換スイッチ１０７を設けている。切換スイッチ１０７は、接点ａ，ｂ，ｃを有し、マイコン１０３からの切換信号に基づいて、接点ａと接点ｂとを接続するか、或いは、接点ａと接点ｃとを接続する。接点ａと接点ｂとが接続される場
合には、アンテナ２００からの信号をＶＨＦ帯フィルタ１０４を介して地上波デジタルＲＦ処理部１０１に入力し、接点ａと接点ｃとを接続する場合には、アンテナ２００からの信号をＶＨＦ帯フィルタ１０４を介さずに直接、地上波デジタルＲＦ処理部１０１に入力する。
【００２６】
図５は、第２実施形態に係る地上波デジタル放送受信機１００における地上波デジタル放送の受信処理のフローチャートである。
【００２７】
Ｓ２１乃至Ｓ２３では、第１実施形態と同様にして、第１乃至第３の条件を満たすか否かを判定する。第１乃至第３の条件を全て満たす場合には、Ｓ２４において、マイコン１０３からの切換信号によって、切換スイッチ１０７の接点ａと接点ｂとを接続し（Ｓ２４）、アンテナ２００からの信号は、ＶＨＦ帯フィルタ１０４でＶＨＦ帯のアナログ信号が除去され、ＵＨＦ帯の地上波デジタル信号のみを地上波デジタルＲＦ処理部１０１に入力し、地上波デジタル放送の受信を行う（Ｓ２５）。
【００２８】
一方、第１乃至第３の条件の何れかを満たさない場合には、マイコン１０３からの切換信号によって、切換スイッチ１０７の接点ａと接点ｃとを接続し（Ｓ２６）、アンテナ２００からの信号をＶＨＦ帯フィルタ１０４を介さずに直接、地上波デジタルＲＦ処理部１０１に入力して、地上波デジタル放送の受信を行う（Ｓ２５）。
【図面の簡単な説明】
【００２９】
【図１】第１実施形態に係る地上波デジタル放送受信機１００の概略構成図である。
【図２】パススルー放送時（ａ）と、通常放送時（ｂ）とにおける地上波デジタル放送信号及びアナログ放送信号の信号強度を模式的に図示したものである。
【図３】第１実施形態に係る地上波デジタル放送受信機１００における地上波デジタル放送の受信処理のフローチャートである。
【図４】第２実施形態に係る地上波デジタル放送受信機１００の概略構成図である。
【図５】第２実施形態に係る地上波デジタル放送受信機１００における地上波デジタル放送の受信処理のフローチャートである。
【符号の説明】
【００３０】
１００  地上波デジタル放送受信機
１０１  地上波デジタルＲＦ処理部
１０２  映像音声復号処理部
１０３  マイコン
１０４  ＶＨＦ帯フィルタ
１０５  スルースイッチ
１０６  ＶＨＦ帯アナログ検出部
１０７  切換スイッチ
２００  アンテナ
３００  表示部
【図１】
2005303716.tif 000003
【図２】
2005303716.tif 000004
【図３】
2005303716.tif 000005
【図４】
2005303716.tif 000006
【図５】
2005303716.tif 000007